【事件の表示】
　特許第２９４５３０９号「ディスクカートリッジ」の請求項１ないし３、５、６、８、９に係る特許に対する特許異議の申立てについて、次のとおり決定する。
【結　論】
　訂正を認める。
　特許第２９４５３０９号の請求項１、２、５、６に係る特許を取り消す。
【理　由】
１．手続きの経緯
　実用新案登録出願　平成２年３月８日
　特許出願変更　　　平成７年１０月４日
　特許権設定登録　　平成１１年６月２５日
　特許異議の申立て　平成１２年３月６日
　　（異議申立人松本信雄）
　特許異議の申立て　平成１２年３月６日
　　（異議申立人赤坂雄司）
　取消理由通知　　　平成１２年５月２４日
　特許異議意見　　　平成１２年８月７日
　訂正請求　　　　　平成１２年８月７日
　
２．訂正の適法性
（１）本件発明
　訂正特許明細書の請求項１〜７の中、請求項１，２，５，６に係る発明（以下、全体を「本件発明」それぞれを「本件発明１，同２，同５，同６」という。）は、その特許請求の範囲の請求項１，２，５，６に記載された次のとおりのものである。
「【請求項１】ディスク状記録媒体（２）が収納されたケース（１）と、このケースに形成されたヘッド挿入穴（３）及びディスク状記録媒体を回転させるための回転穴（４）を開閉するために前記ケースに取り付けられたシャッタ（５）と、前記シャッタに取り付けられ、前記シャッタの開閉方向に滑るようにして前記ケースと接触するスライダー（１５）と、を備えたディスクカートリッジにおいて、前記シャッタを閉方向に付勢する付勢部材（１８）が、その一方の腕部を前記スライダの前記シャッタ開方向の端部に設けられた第１受け部（１７）に、他方の腕部を前記ケースに設けられた第２受け部（２０）にそれぞれ係合され、前記スライダーの前記シャッタ閉方向側が前記シャッタから前記シャッタ閉方向に向けて突出すると共に、前記第１受け部（１７）は前記シャッタ（５）の開方向に開口し且つ前記のシャッタ閉方向に延びる溝状に形成されていることを特徴とするディスクカートリッジ。
　【請求項２】前記第１受け部（１７）に係合する前記付勢部材（１８）の腕部は、直角に折り曲げられた先端を有しており、直角に折り曲げられた該先端は、溝状の前記第１受け部（１７）に収装されていることを特徴とする請求項１に記載のディスクカートリッジ。
　【請求頃５】ディスク状記録媒体（２）が収納されたケース（１）と、このケースに形成されたヘッド挿入穴（３）及びディスク状記録媒体を回転させるための回転穴（４）を開閉するために前記ケースに取り付けられたシャッタ（５）と、前記シャッタに取り付けられ、前記シャッタの開閉方向に滑るようにして前記ケースと接触するスライダー（１５）と、を備えたディスクカートリッジにおいて、前記ケースの記録再生装置挿入方向端側には前記シャッタの開閉方向に延びる嵌合溝（２３、２４）が形成されており、前記スライダー（１５）の両端には、前記嵌合溝（２３、２４）に嵌入される嵌合突起部（２１、２２）が形成されていることを特徴とするディスクカートリッジ。
　【請求項６】前記嵌合突起部（２１、２２）の先端は略矢じり状に形成されており、前記嵌合溝内の突部（１ｃ、１ｄ）と係合していることを特徴とする請求項５に記載のディスクカートリッジ。」
（２）訂正の目的の適否、新規事項の有無及び拡張・変更の存否
　上記特許請求の範囲は、特許明細書の請求項１，２，３を削除し、同請求項５，６及び８，９を繰り上げて、それぞれ請求項１，２及び５，６と訂正したものであって、当該訂正は、特許請求の範囲の減縮及び明りょうでない記載の釈明に該当し、新規事項の追加に該当せず、実質的に特許請求の範囲を拡張又は変更するものではない。
（３）むすび
　以上のとおりであるから、上記訂正請求は、特許法第１２０条の４第２項及び同条第３項で準用する第１２６条第２〜４項の規定に適合するので、当該訂正を認める。
　
３．特許異議申立ての理由の概要
　異議申立人松本信雄は、特許請求の範囲の請求項１，５，６，８に係る発明は、特許法第２９条第２項及び又は同法第２９条の２の規定により（証拠方法：甲第１〜４号証）、また、異議申立人赤坂雄司は、特許請求の範囲の請求項１〜３、５，６，８，９に係る発明は、特許法第２９条第１項第３号及び又は同法同条第２項の規定により（証拠方法：甲第１〜６号証）、特許を受けることができないものであるから、その特許は取り消されるべきものである旨それぞれ主張している。
　
４．当審の判断
（１）刊行物に記載された発明
　当審が通知した取消理由で引用した刊行物１（特開平３−２２４１７２号公報：異議申立人松本信雄が提示した甲第３号証）には、「本発明は、ディスクカートリッジ内に収納されたディスク状記録媒体を回転駆動して情報の記録再生を行うディスク駆動装置に係り、」（［産業上の利用分野］の項）、「第１７図に示すように上ハーフ５３のほぼ中央部には、駆動軸挿入開口とヘッドアクセス開口とが一緒になった長孔状の窓孔１１が形成されている。」（第１０頁上右欄第１８行〜下左欄第１行及び第１７図）、「第１８図に示すように、上ハーフ５３の・・・（中略）・・・前部内面にはシャッタの移動を案内するためのガイド溝８０が形成され、」（第１０頁下左欄第２０行〜下右欄第１２行及び第１８図）、「さらに下ハーフ５２の内面には第２１図に示すように、側壁８８、円弧リブ８９、ディスク収容部９０、ガイド溝９１ならびに係止凸部９２が、それぞれ所定の位置に形成されている。」（第１１頁上左欄第１２〜１５行及び第２１図）、「このカートリッジケース５１内に光ディスクなどのディスク状記録媒体１２が回転可能に収容される。」（第１１頁上左欄第２０行〜上右欄第２行）、「このシャッタ９は、シャッタ板１３１とスライダ１３２とから構成されている。シャッタ板１３１は例えばステンレス鋼板などの金属板から構成され、第３２図に示すように、上、下の閉塞部１３３と、両閉塞部１３３の一端どうしを連結する連結部１３４とから構成され、側面形状がほぼコ字形をしている。前記閉塞部１３３は、窓孔１１を閉塞するに十分な長さになっている。」（第１２頁下左欄第２〜１０行及び第３１，３２図）、「スライダ１３２は、例えばポリアセタール（商品名ジュラコン）、ポリアミド（商品名ナイロン）フツ素樹脂（商品名テフロン）、超高分子量ポリエチレン、各種固体潤滑剤を適量混合した合成樹脂など、自己潤滑性を有する成形体から構成されている。前記カートリッジケース５１としてポリカーボネートを用い、それと摺接するスライダ１３２としてポリアセタールを使用した場合の、」（第１２頁下右欄第１７行〜第１３頁上左欄第５行）、「このスライダ１３２は第３３図ないし第３７図に示すように、シャッタ板取付部１３７と幅狭部１３８とから主に構成されている。」（第１３頁上右欄第２０行〜下左欄第２行及び第３３〜３７図）、「第３４図ないし第３７図に示すように、前記シャッタ板取付部１３７から幅狭部１３８の全長にかけて、カートリッジケース５１の前部と係合する抜止め溝１４３が両側に貫通している。さらにこの抜止め溝１４３の下方に突条１４４が設けられており、この突条１４４が上、下ハーフ５３、５２のガイド溝８０、９１に挿入されるようになっている。また、第３４図ならびに第３５図に示すように前記傾斜部１４０の下方には、バネ掛け孔１４５が形成されている。」（第１３頁下左欄第１２行〜下右欄第１行及び第３３〜３７図）、「スライダ１３２にシャッタ板１３１が取付けられて、シャッタ９を構成する。シャッタ９をカートリッジケース５１の閉塞位置に弾性付勢するために用いられるコイルバネ１４６は、第３８図ならびに第３９図に示すように、中間部にコイル部１４７を有し、一端に前記上ハーフ５３のバネ掛けピン８１に外嵌する環状部１４８が形成され、他端に前記シャッタ９（スライダ１３２）のバネ掛け孔１４５に挿入される係止端１４９が突設されている。」（第１３頁下右欄第６〜１６行及び第３８，３９図）及び「第４５図ならびに第４６図は、シャッタ９の閉成位置ならびに開成位置におけるコイルバネ１４６の状態を示す図である。コイルバネ１４６の一端はスライダ１３２のバネ掛け孔１４５と係止し、他端はバネ掛けピン８１と係止して、シャッタ９を常に閉成位置側に弾性付勢している。」（第１４頁下右欄第３〜８行及び第４５，４６図）ことが、
　同刊行物２（実願昭６３−８８５０号（実開平１−１１３８８５号）のマイクロフィルム：異議申立人赤坂雄司が提示した甲第２号証）には、「本考案は、ハードディスク、特に光ディスク、光磁気ディスク、磁気ディスクあるいはフロッピーディスクなどディスク状媒体を回転自在にケース内に収納したディスクカートリッジに関するものである。」（［産業上の利用分野］の項）、「円形状の光ディスク１と、該ディスク１を回転可能に収納する上ケースと下ケースとからなるケース２と、このケース２に形成した記録・再生用のピックアップ挿入孔３を開閉するためケース上下面を挟持状態でピックアップ挿入孔３を開閉する金属製(ＳＵＳ）のシャッタ板の上板４1及び下板４2をポリアセタール樹脂などの滑性良好な材質のスライダ４3にそれぞれ連結して断面がほぼコ字状に構成したシャッタ４を備えたものであって、」（［実施例］の項及び第１，２図）、「また前記スライダ４3に設けられる仕切壁１４にはケース側壁に設けたガイド長溝に嵌入係支されスライドしやすくし、ケース表面にある凹面状のスライド領域１２にシャッタ４の上板４1、と下板４2が摺動するようになっており、該上板４1及ぶ下板４の先端縁は段付折曲げ端にしてケース２に設けられる押え片１３の下側にもぐらせて嵌挿セットできるようにしてある。さらにケース２は、その中心に形成した円形の開孔１５内にディスク１のハブ１６が配置され、長方形の前記ピックアップ挿入孔３及び、ピン挿入穴１７と前記シャッタ４を摺動可能に配置するスライド領域１２とシャッタ端部の押え片１３とを持っていて、不使用時にはシャッタ４によってピックアップ挿入孔３が覆われ、ディスクカートリッジを挿入する際に、スライドされピックアップ挿入孔３を開ける状態にスライドされ、ガイド軸のシャフト１９に巻装されたバネ２０で復元できるように付勢されている。」（［実施例］の項及び第３〜８図）、「スライダ４3をその仕切壁１４をガイド長溝に嵌入しつつ、上板４1及び下板４2の間に差込み可変当片８、８間の嵌入部９に規制ロック片１０を可変当片８を押し曲げつつ押し込んで納めると係止され、さらに係合孔６も突起７に嵌合されてシャッタの上板４1と下板４2とがスライダ４3に一体的に連結構成され、同時にケース２のスライダ領域１２にシャッタ４が組み立て配備されることとなり、能率良好な生産作業が可能となる。」（［実施例］の項及び第３〜８図）及び「シャッタ板をカートリッジケース本体に摺動自在にセットしたのち、スライダをシャッタ板に押し込んで連結固着一体化すると同時にケース装着することができることとなり、シャッタの組み立て並びにケースへの装着が著しく容易となり、」（［考案の効果］の項）ことが、
　同刊行物３（特開平１−１３４７７４号公報：異議申立人赤坂雄司が提示した甲第４号証）には、「上ケースと下ケースとを接合して成り、所定位置に窓孔が開設されたカートリッジケースと、このカートリッジケースに被着され、前期窓孔を開閉するシャッタとを備えたディスクカートリッジにおいて、前記カートリッジケースの前縁に沿って、前記上ケースと下ケースとの接合部にシャッタ案内レールを相内向に形成するとともに、前記シャッタの前片の内面に、この前片のほぼ全幅に亘つて延びる補強リブを突設し、この補強リブの先端の少なくとも一部に、前記シャッタ案内レールに係合可能な鉤形の係止体を形成したことを特徴とするディスクカートリッジ。」（「特許請求の範囲」の欄）、「前縁Ａのほぼ全範囲に亘つて、係止爪３０を有する鉤形のシャッタ案内レール３１が一直線状に形成されている。係止爪３０の内面３０ａは、第３図および第４図に示すように、前記接合用壁６の先端面６ａより凹設されており、後に説明する上ケース５と接合したとき、上ケース５に形成されたシャッタ案内レールとの間に、シャッタ３を摺動可能に取り付けるためのスリットが形成されるようになっている。また、前記係止爪３０の前面には斜面３０ｂが形成されており、シャッタ３の取り付けが容易に行なえるようになっている。」（［実施例］の項及び第１〜６図）、「シャッタ３は、所定の樹脂材料をもって成形されており、第７図ないし第９図に示すように、カートリッジケースの厚さと略等しい幅Ｗ有する前片５１と、前片５１に続く細幅部５１ａと、前片５１および細幅部５１ａの内面に突設された補強リブ５２と、この補強リブ５２の先端部に形成された係止体５３と、前記ヘッド挿入孔１６を閉塞可能な幅及び長さを有する第１のシャッタ面部５４と、前記ヘッド挿入孔１６およびスピンドル孔１４を共に閉塞可能な幅と長さとを有する第２のシャッタ面部５５と、前片５１の両端部に形成された曲折部５６、５７とから成る。」（［実施例］の項及び第７〜９図）、「補強リブ５２は、前片および細幅部５１ａのほぼ全長に亘つて形成される。その幅Ｄは、第１０図に示すように、前片５１をカートリッジケース１の内装用段部２８に衝合したとき、その先端部が前記シャッタ案内レール３１、４６の間に形成されるスリット４９の間に挿入されるように形成される。係止体５３は、前記補強リブ５２のシャッタ面部５４、５５から露出した部分に形成される。係止体５３の長さは任意に設計可能であるが、あまり長く形成するとスリット４９への挿入が困難になり、反対にあまり短かいと脱落し易くなるため、適当な長さに形成される。この場合、短い係止体を所定の間隔をもって複数個形成することもできる。また、シャッタ面部５４、５５の間まで、この係止体５３を延長することも可能である。係止体５３の断面形状は、第１０図に示すように、補強リブ５２を中心としてその両側に膨出する鉤形に形成される。この図に示すように、この係止体５３は、シャッタ案内レール３１、４６の後縁側に形成される取付部５０内に嵌合され、係止爪３０と係合される。これによって、シャッタ３は、シャッタ案内レール３１、４６に沿って、カートリッジケース１0の前縁部を摺動することができる。��（［実施例］の項及び第１０図）及び「次いで、シャッタ面部５４、５５の自由端を若干開いた状態でシャッタ３をカートリッジケース１の前縁側から挿入する。このとき、第１０図に示すように、シャッタ３に形成された係止体５３をカートリッジケース１の前縁部に押し込むと、係止体５３の撓みと下ケース４および上ケース５（主として、連結凹部３２）の弾性変形のよって、太幅の係止体５３がシャッタ案内レール３１、４６の間に形成されるスリット４９を通って、取付部５０内に押し込まれる。これによって、シャッタ３とカートリッジケース１とが一体に結合され、シャッタ３が脱落することなく、シャッタ案内レール３１、４６に沿って自由に移動できるようになる。」（［実施例］の項及び第１０図）ことが、それぞれ記載されている。
（２）本件発明１，２について
　本件発明１，２と刊行物１に記載された発明とを対比すると、後者の「ヘッドアクセス開口」、「駆動軸挿入開口」、「コイルバネ１４６」、「突条１４４に設けられた溝及びこれに臨んで設けられたバネ掛け孔１４５」、「バネ掛けピン８１」及び「係止端１４９」は、それぞれ前者の「ヘッド挿入穴」、「回転穴」、「付勢部材」、「第１受け部」、「第２受け部」及び「直角に折り曲げられた先端」に相当する（前者の「第１受け部」は溝
状
状
状
　よって、両者は同一であるということができ、本件発明１，２は、いずれも特許法第２９条の２の規定により、特許を受けることができないものである。
（３）本件発明５について
　本件発明５と刊行物２に記載された発明とを対比すると、後者の「ディスク（１）」、「ピックアップ挿入孔（３）」、「開孔（１５）」、「ガイド長溝」及び「仕切壁１４」は、それぞれ前者の「ディスク状記録媒体」、「ヘッド挿入穴」、「回転穴」、「嵌合溝」及び「嵌合突起部」に相当するから、両者は、「ディスク状記録媒体（２）が収納されたケース（１）と、このケースに形成されたヘッド挿入穴（３）及びディスク状記録媒体を回転させるための回転穴（４）を開閉するために前記ケースに取り付けられたシャッタ（５）と、前記シャッタに取り付けられ、前記シャッタの開閉方向に滑るようにして前記ケースと接触するスライダー（１５）と、を備えたディスクカートリッジにおいて、前記ケースの記録再生装置挿入方向端側には前記シャッタの開閉方向に延びる嵌合溝（２３、２４）が形成されており、前記スライダー（１５）の両端には、前記嵌合溝（２３、２４）に嵌入される嵌合突起部（２１、２２）が形成されていることを特徴とするディスクカートリッジ（以下、Aという。）。」である点で一致し、相違点は存しない。
　よって、両者は同一であるということができ、本件発明５は、特許法第２９条第１項第３号の規定により、特許を受けることができないものである。
（４）本件発明６について
　本件発明６と刊行物２に記載された発明とを対比すると、後者の「ディスク（１）」、「ピックアップ挿入孔（３）」、「開孔（１５）」、「ガイド長溝」、「仕切壁１４」及び「ガイド長溝内の突部」は、それぞれ前者の「ディスク状記録媒体」、「ヘッド挿入穴」、「回転穴」、「嵌合溝」、「嵌合突起部」及び「嵌合溝内の突部」に相当するから、両者は、「Aであって、前記嵌合突起部（２１、２２）の先端は特定形状に形成されており、前記嵌合溝内の突部（１ｃ、１ｄ）と係合していることを特徴とするディスクカートリッジ。」である点で共通し、次の点で相違する。
　即ち、嵌合突起部（２１、２２）の先端の特定形状が、前者では、略矢じり状であるのに対して、後者では、略長方形状である点。
　そこで、この相違点を検討する。ディスクカートリッジに於いて、シャッタのスライダー相当部の嵌合突起部相当部の先端（係止体５３）を略矢じり状としたものが公知（刊行物３参照）であるから、当業者が後者の嵌合突起部の先端の特定形状である略長方形状を、この公知略矢じり状に換えて、前者の構成を得ることに格別の困難性は認められないので、この相違点は格別のものということはできない。
　よって、本件発明６は、刊行物２，３に記載された発明に基づいて、当業者が容易に発明をすることができたものであるから、特許法第２９条第２項の規定により、特許を受けることができないものである。           
　
５．むすび
　以上のとおりであるから、本件発明の特許は、特許法第１１３条第２号に該当し、取り消されるべきものである。
　よって、結論のとおり決定する。
【異議決定日】
平成１３年１月２５日（２００１．１．２５）
【訂正の要旨】
（３）訂正の要旨
▲１▼．訂正事項ａ
　特許請求の範囲の減縮を目的として、特許請求の範囲の請求項１〜３を削除する。
▲２▼．訂正事項ｂ
　特許請求の範囲の請求項４に係る記載を明瞭でない記載の釈明を目的として、引用形式請求項から独立形式請求項に、下記のとおり訂正し、請求項３とする。
「
【請求項３】
され、
と共に、
徴とするデ
▲３▼．訂正事項ｃ
　特許請求の範囲の請求項５に係る記載を明瞭でない記載の釈明を目的として、引用形式請求項から独立形式請求項に、下記のとおり訂正し、請求項１とする。
「
【請求項１】
され、
と共に、
徴とするデ
▲４▼．訂正事項ｄ
　特許請求の範囲の請求項６に係る記載を明瞭でない記載の釈明を目的として、下記のとおり訂正し、請求項２とする。
「
【請求項２】
請求項１
▲５▼．訂正事項ｅ
　特許請求の範囲の請求項７に係る記載を明瞭でない記載の釈明を目的として、引用形式請求項から独立形式請求項に、下記のとおり訂正し、請求項４とする。
「
【請求項４】
され、
と共に、
徴とするデ
▲６▼．訂正事項ｆ
　特許請求の範囲の請求項８に係る記載を明瞭でない記載の釈明を目的として、下記のとおり訂正し、請求項５とする。
「
【請求項５】
▲７▼．訂正事項ｇ
　特許請求の範囲の請求項９に係る記載を明瞭でない記載の釈明を目的として、下記のとおり訂正し、請求項６とする。
「
【請求項６】
請求項５
▲８▼．訂正事項ｈ
　特許請求の範囲の請求項１０に係る記載を明瞭でない記載の釈明を目的として、下記のとおり訂正し、請求項７とする。
「
【請求項７】
請求項６
（５４）【発明の名称】
ディスクカートリッジ
（５７）【特許請求の範囲】
　　【請求項１】　ディスク状記録媒体（２）が収納されたケース（１）と、このケースに形成されたヘッド挿入穴（３）及びディスク状記録媒体を回転させるための回転穴（４）を開閉するために前記ケースに取り付けられたシャッタ（５）と、前記シャッタに取り付けられ、前記シャッタの開閉方向に滑るようにして前記ケースと接触するスライダー（１５）と、を備えたディスクカートリッジにおいて、前記シャッタを閉方向に付勢する付勢部材（１８）が、その一方の腕部を前記スライダの前記シャッタ開方向の端部に設けられた第１受け部（１７）に、他方の腕部を前記ケースに設けられた第２受け部（２０）にそれぞれ係合され、前記スライダーの前記シャッタ閉方向側が前記シャッタから前記シャッタ閉方向に向けて突出すると共に、
前記第１受け部（１７）は前記シャッタ（５）の開方向に開口し且つ前記のシャッタ閉方向に延びる溝状に形成されていることを特徴とするディスクカートリッジ。
　　【請求項２】　前記第１受け部（１７）に係合する前記付勢部材（１８）の腕部は、直角に折り曲げられた先端を有しており、直角に折り曲げられた該先端は、溝状の前記第１受け部（１７）に収装されていることを特徴とする請求項１に記載のディスクカートリッジ。
　　【請求項３】　ディスク状記録媒体（２）が収納されたケース（１）と、このケースに形成されたヘッド挿入穴（３）及びディスク状記録媒体を回転させるための回転穴（４）を開閉するために前記ケースに取り付けられたシャッタ（５）と、前記シャッタに取り付けられ、前記シャッタの開閉方向に滑るようにして前記ケースと接触するスライダー（１５）と、を備えたディスクカートリッジにおいて、前記シャッタを閉方向に付勢する付勢部材（１８）が、その一方の腕部を前記スライダの前記シャッタ開方向の端部に設けられた第１受け部（１７）に、他方の腕部を前記ケースに設けられた第２受け部（２０）にそれぞれ係合され、前記スライダーの前記シャッタ閉方向側が前記シャッタから前記シャッタ閉方向に向けて突出すると共に、
前記第１受け部と前記第２受け部とが、前記シャッタ（５）の開方向寄りの位置においてスライダー（１５）と滑接する前記ケースの第２ガイド表面（１２）よりも、さらにケースの記録再生装置挿入先端部寄りに配置されていることを特徴とするディスクカートリッジ。
　　【請求項４】　ディスク状記録媒体（２）が収納されたケース（１）と、このケースに形成されたヘッド挿入穴（３）及びディスク状記録媒体を回転させるための回転穴（４）を開閉するために前記ケースに取り付けられたシャッタ（５）と、前記シャッタに取り付けられ、前記シャッタの開閉方向に滑るようにして前記ケースと接触するスライダー（１５）と、を備えたディスクカートリッジにおいて、前記シャッタを閉方向に付勢する付勢部材（１８）が、その一方の腕部を前記スライダの前記シャッタ開方向の端部に設けられた第１受け部（１７）に、他方の腕部を前記ケースに設けられた第２受け部（２０）にそれぞれ係合され、前記スライダーの前記シャッタ閉方向側が前記シャッタから前記シャッタ閉方向に向けて突出すると共に、
前記スライダーと滑接する前記ケースのガイド表面（１１、１２）には前記シャッタの開閉方向に延びる嵌合溝（２３、２４）が形成されており、前記スライダー（１５）には、割り溝（２１ｂ、２２ｂ）を有し且つ前記嵌合溝（２３、２４）に嵌入される嵌合突起部（２１、２２）が形成されており、前記第２受け部（２０）を前記嵌合突起部とともに連成し、前記付勢部材（１８）の腕部が前記割り溝（２１ｂ、２２ｂ）に収納可能としたことを特徴とするディスクカートリッジ。
　　【請求項５】　ディスク状記録媒体（２）が収納されたケース（１）と、このケースに形成されたヘッド挿入穴（３）及びディスク状記録媒体を回転させるための回転穴（４）を開閉するために前記ケースに取り付けられたシャッタ（５）と、前記シャッタに取り付けられ、前記シャッタの開閉方向に滑るようにして前記ケースと接触するスライダー（１５）と、を備えたディスクカートリッジにおいて、前記ケースの記録再生装置挿入方向端部には前記シャッタの開閉方向に延びる嵌合溝（２３、２４）が形成されており、前記スライダー（１５）の両端には、前記嵌合溝（２３、２４）に嵌入される嵌合突起部（２１、２２）が形成されていることを特徴とするディスクカートリッジ。
　　【請求項６】　前記嵌合突起部（２１、２２）の先端は略矢じり状に形成されており、前記嵌合溝内の突部（１ｃ、１ｄ）と係合していることを特徴とする請求項５に記載のディスクカートリッジ。
　　【請求項７】　略矢じり状の前記嵌合突起部（２１、２２）に、該嵌合突起部をその中心線へ向けて弾性変形させることのできる割り溝（２１ｂ、２２ｂ）がさらに形成されていることを特徴とする請求項６に記載のディスクカートリッジ。
【発明の詳細な説明】
　　　【０００１】
　　【発明の属する技術分野】
　本発明はディスク状記録媒体を収納したディスクカートリッジ、特に３．５インチ用のディスクカートリッジに関する。
　　　【０００２】
　　【従来の技術】
　記録再生装置に使用されるディスク状記録媒体は、不使用時に破損したり、塵埃が付着したりするのを防止するために、ディスクカートリッジ内にこのディスク状記録媒体を収納することによって保護している。このようなディスクカートリッジとして、例えば図８および図９に示すようなものがある。図８において、符号１０１は上半片１０１ａと下半片１０１ｂとからなるケースであり、このケース１０１にはディスク状記録媒体（図示せず）が収納されている。ケース１０１にはこのディスクカートリッジが記録再生装置に装着されたときに、ディスク状記録媒体を回転させるための回転穴（図示せず）や情報の読み書きを行うためにヘッドを接近可能なヘッド挿入穴（図示せず）が形成されている。
　　　【０００３】
　ここで、前記回転穴やヘッド挿入穴からケース１０１内部に塵埃が侵入するのを防止するために、このケース１０１には図９にも示すようにシャッタ１０２が取り付けられている。また、シャッタ１０２はケース１０１内に収装されたねじりコイルばね（図示せず）によって常時付勢されて、前記回転穴やヘッド挿入穴を閉止している。
　　　【０００４】
　ねじりコイルばねの付勢力に抗してシャッタ１０２を摺動させると、前記回転穴やヘッド挿入穴は開口される。シャッタ１０２を開閉する際に、このシャッタ１０２がケース１０１から外れないようにするとともに開閉方向にガイドするために、図９に示すようにこのガイド板部１０５の片面側にガイド突起部１０５ａ，１０５ｂが形成されている。ガイド突起部１０５ａ，１０５ｂはケース１０１の片面側に摺動方向に形成されたガイド溝１０６ａ，１０６ｂにそれぞれ嵌入されている。
　　　【０００５】
　　【発明が解決しようとする課題】
　しかしながら、このような従来のディスクカートリッジにおいては、金属製のシャッタ１０２がケース１０１に直に摺接し、またガイド溝１０６ａ，１０６ｂには金属製のガイド突起部１０５ａ，１０５ｂが嵌入しているので、このシャッタ１０２をケース１０１に対してスムーズに摺動させにくいという問題点があった。
　　　【０００６】
　そこで、ケース１０１に対して滑接するスライダーをシャッター１０２に取り付けることが考えられるが、このスライダーはケース１０１から外れないようにするために、このケース１０１に摺動自在に取付ける必要がある。そのためには、スライダーに係合突起部を形成し、この係合突起部を一対の上半片１０１ａと下半片１０１ｂとで挟み込むようにして、スライダーをケース１０１に取り付ける方法が考えられる。しかし、このようにしてスライダーをケース１０１に取り付けるようにすると、スライダーの係合突起を上・下半片１０１ａ，１０１ｂでいちいち挟み込まねばならず、煩雑であるとともに組立ての時間がかかってしまうという新たな問題が生じる。
　　　【０００７】
　　【課題を解決するための手段】
　このような問題点を解決するために、本発明にあっては、３．５インチのディスク状記録媒体が収納されたケースと、このケースに形成されたヘッド挿入穴およびディスク状記録媒体を回転させるための回転穴を開閉するためのシャッタとを備えた３．５インチ用のディスクカートリッジにおいて、前記シャッタに前記ケースと滑接するスライダーを取り付け、このスライダーに割り溝を有する嵌合突起部を形成し、この嵌合突起部が嵌入可能な嵌合溝を前記ケースに形成した構成とするものである。
　　　【０００８】
　ディスクカートリッジを記録再生装置に装着すると、この回転穴やヘッド挿入穴を開口するためにこの装置の開閉ピンがシャッタを押して摺動させる。このとき、シャッタはケースに対して直に摺接しているのではなく、スライダーを介して摺接している。したがって、シャッタをケースに対してスムーズに摺動させることができる。
　　　【０００９】
　また、スライダーの嵌合突起部には割り溝が形成されているので、この嵌合突起部をケースの嵌合溝に圧挿する際に、前記嵌合突起部は容易に弾性変形することができ、前記嵌合溝に圧入される。
　　　【００１０】
　　【発明の実施の形態】
　以下、本発明を図面に基づいて説明する。図１ないし図７は本発明に係る３．５インチ用のディスクカートリッジの一実施例を示す図である。
　　　【００１１】
　図１および図２において符号１はディスクカートリッジのケースであり、このケース１は合成樹脂製であって全体が矩形の平板状筐体の上半片１ａと下半片１ｂとからなっている。ケース１内には光学的情報を記録した３．５インチの光ディスク２（ディスク状記録媒体）が収納されている。ケース１の下半片１ｂの中央には、光ディスクが記録再生装置に装着されたときに、ケース１内の光ディスク２をスピンドルモータ（図示せず）によって回転させるための回転穴４が形成され、この回転穴４から光ディスク２の中心部に設けられたハブ部２ａが露出している。またケース１の上下半片１ａ，１ｂには光ディスク２に記録された情報を読み取るための光ヘッド（図示せず）が接近可能なようにヘッド挿入穴３が形成されている。
　　　【００１２】
　光ディスク２を使用しない場合には、前記回転穴４やヘッド挿入穴３から塵埃がケース１内に侵入するのを防止するために、このケース１にはシャッタ５が取付けられている。シャッタ５は図３に示すようにステンレンス鋼等の金属薄板を略中央から断面略コの字形に折り曲げて形成され、前記回転穴４及びヘッド挿入穴３を開閉するための開閉板部６と、この開閉板部６よりも折り曲げ長さが短い補助開閉板部７とを有している。また、前記シャッタ５の折り曲げられた部分（同図中上部）にはケース１の記録再生装置挿入側先端部に位置するガイド板部８が形成されている。
　　　【００１３】
　ここで、ケース１の記録再生装置挿入先端部分に形成されたガイド部Ｇは、図４に示すように、図上左側に形成されケース１の上端面から落込んだ位置に水平方向に伸びる第１ガイド表面１１と、この第１ガイド表面１１とは前記ヘッド挿入穴３に対して反対側に形成された第２ガイド表面１２とを有している。そして、前記両ガイド表面１１，１２間には、連結部１３が形成されている。
　　　【００１４】
　前記第１ガイド表面１１の前記ヘッド挿入穴３側には、シャッタ５を開閉するための開閉ピンＰがシャッタ５を開放したときに落込むための逃げ凹み１４が形成されている。前記開閉ピンＰはシャッタ５を頭上右側に移動せしめ、前記ヘッド挿入穴３を開放する。このようにヘッド挿入穴３が開放されたときに前記開閉ピンＰは前記逃げ凹み１４内に落込む。
　　　【００１５】
　断面略コの字型のガイド板部８の内面側にはガイド部Ｇに摺接するポリアセタール等の合成樹脂製のスライダー１５が取り付けられており、このスライダー１５は図４中略右半分がガイド板部８の内面側にタッピングねじ１６によって固着されている。また、このスライダー１５の略右半分には第２ガイド表面１２と摺接する第２摺接面部１５ａが設けられ、第２摺接面部１５ａと第２ガイド表面１２とはともに合成樹脂製であるので、この第２摺接面部１５ａは第２ガイド表面１２に対して滑性を有している。
　　　【００１６】
　さらに、この略右半分の右端側部分には第１ばね受部（第１受け部）１７が形成されている。ケース１内にはねじりコイルばね（付勢部材）１８を収納するための収納室１９が設けられ、この収納室１９の右上方端のケース１には第２ばね受部（第２受け部）２０が形成されている。第１、第２ばね受部１７、２０にはねじりコイルばね１８の一端、他端がそれぞれ係合し、このねじりコイルばね１８によってスライダー１５を図４中左方へ付勢している。
　　　【００１７】
　一方、スライダー１５の略左半分は図５に示すように記録再生装置のヘッド（図示せず）が側方からヘッド挿入口３へ接近可能なように厚さを薄く形成している。また、このスライダー１５の略左半分の左端側部には第１ガイド表面１１と摺接する第１摺接面部１５ｂが突出形成されており、この第１摺接面部１５ｂは前記同様の理由から第１ガイド表面１１に対して滑性を有している。
　　　【００１８】
　また、スライダー１５の摺動方向両端には図６および図７に示すように断面略矢じり状の第１，第２嵌合突起部２１，２２がそれぞれ同図中下方に向けて一体形成されている。すなわち、第１、第２嵌合突起部２１，２２の先端側（図６および図７中下方側）には隆起するえら部２１ａ，２２ａがそれぞれ形成され、このえら部２１ａ，２２ａから先端までは次第にすぼめた形となっている。
　　　【００１９】
　スライダー１５を図４中左右に摺動ずると、第１、第２嵌合突起部２１，２２も同時に摺動ずるが、この第１、第２嵌合突起部２１，２２が摺動ずる範囲であってケース１の上方端側には第１、第２嵌合溝２３，２４が設けられている。第１、第２嵌合溝２３，２４の縁は、上下半片１ａ，１ｂの内壁に形成された突部１ｃ，１ｄによって画成されている。突部１ｃ，１ｄ間の間隔はえら部２１ａ，２２ａの幅よりも小さい。このため、えら部２１ａ，２２ａを突部１ｃ，１ｄ間に圧押しようとしてもしずらいことになる。
　　　【００２０】
　そこで、第１、第２嵌合突起部２１，２２のそれぞれの中心線部分には図６および図７中下方に向けて第１、第２割り溝２１ｂ，２２ｂを形成している。このように第１、第２割り溝２１ｂ，２２ｂが形成されていると、えら部２１ａ，２２ａを突部１ｃ，１ｄに圧押する際に、このえら部２１ａ，２２ａは第１、第２嵌合突起部２１，２２の中心線へ向けて弾性変形することができ、突部１ｃ，１ｄ間を容易に擦り抜けることができる。したがって、第１、第２嵌合突起部２１，２２はケース１に前記摺動方向に沿ってそれぞれ形成された第１、第２嵌合溝２３，２４内に圧入することができ、このことによりスライダー１５が摺動されるときにこのケース１から容易に外れるのを防止している。
　　　【００２１】
　スライダー１５の図４中上方部には前記した第１ばね受部１７が第１嵌合突起部２１と連成されているが、第１ばね受部１７はねじりコイルばね１８の直角に折り曲げられた先端１８ａが収装されるように形成されている。また、この第１ばね受部１７の図４中右方側には、ねじりコイルばね１８が容易に脱するのを阻止するめたに引掛り突起１７ａが形成されるとともに、この第１ばね受部１７は図６に示すように第１割り溝２１ｂと連通している。スライダー１５を図４中右方へ摺動させると、ねじりコイルばね１８は同じ右方へ押圧されるが、このねじりコイルばね１８の一端腕部１８ｂは、第１ばね受部１７に係合する先端１８ａを中心に第１嵌合突起部２１に向けて回動ずる。第１嵌合突起部２１には第１割り溝２１ｂが形成されているので、一端腕部１８ｂはそのまま回動しても第１割り溝２１ｂ内に入り込むことができる。したがって、ねじりコイルばね１８が押圧される際にこの一端腕部１８ｂは第１割り溝２１ｂ内に入り込むことによって第１ばね受部１７から一層脱しにくくなる。
　　　【００２２】
　ここで、ディスクカートリッジを記録再生装置に装着すると、回転穴４やヘッド挿入穴３を開口するためにこの装置の開閉ピンＰがスライダー１５の図４中左上端部を押し、シャッタ５を右方向へ摺動させる。このとき、シャッタ５はケース１に対して直に摺接しているのではなく、スライダー１５を介して摺接している。すなわち、滑性を有する第１，第２摺接面部１５ｂ，１５ａは第１，第２ガイド表面１１，１２に対して摺接している。また、スライダー１５がケース１から容易に外れてしまうのを防止するために、合成樹脂製の第１，第２嵌合突起部２１，２２を第１，第２嵌合溝２３，２４に圧入しているが、この第１，第２嵌合突起部２１，２２も第１，第２嵌合溝２３，２４に対して滑性を有している。したがって、シャッタ５を開閉ピンＰで押せば、ケース１に対してスムーズに摺動させることができる。
　　　【００２３】
　ところで、ディスクカートリッジの組立時にケース１にスライダー１５を取り付けるには、シャッタ５に固着されたスライダー１５の第１，第２朕合突起部２１，２２を、前記したようにケース１の第１，第２嵌合溝２３，２４に圧入することができる。このため、スライダー１５をケース１に取り付けるのに、スライダー１５の第１、第２嵌合突起部２１，２２を一ス１の上・下半片１ａ，１ｂによって挟み込む必要がない。したがって、予め組み立てられたケース１の第１、第２嵌合溝２１，２２に第１、第２嵌合突起部２１ａ，２１ｂを圧入するだけで、スライダー１５をケース１にワンタッチで取り付けることができる。
　　　【００２４】
　　【発明の効果】
以上説明したように本発明によれば、シャッタにケースと摺接するスライダーを取り付けたので、シャッタはケースに対して滑性を有するスライダーを介して摺動させることができる。したがって、シャッタをケースに対してスムーズに摺動させることができる。
　　　【００２５】また、スライダーに割り溝を有する嵌合突起部を形成し、この嵌合突起が嵌入可能な嵌合溝をケースに形成したので、スライダーの嵌合突起部をケースの嵌合溝に圧入することができる。このため、ディスクカートリッジの組立時にスライダーの嵌合突起部をケースの上・下半片によって挟み込んだりする必要がなくなる。したがって、予め組み立てられたケースの嵌合溝にスライダーの嵌合突起部を圧入するだけで、スライダーをケースにワンタッチで取り付けることができる。
　　　【００２６】
　加えて、付勢部材の受け部をスライダーに嵌合突起部とともに連成し、この付勢部材の端部が前記割り溝に収納可能としたので、前記端部は前記受け部から一層脱しにくくなる。
【図面の簡単な説明】
　　【図１】ディスクカートリッジの表側の斜視図
　　【図２】ディスクカートリッジの裏側の斜視図
　　【図３】シャッタの断面図
　　【図４】ディスクカートリッジの下半片の部分拡大正面図
　　【図５】ディスクカートリッジの平面図
　　【図６】図４におけるＶＩ−ＶＩ線断面図
　　【図７】図４におけるＶＩＩ−ＶＩＩ線断面図
　　【図８】従来のディスクカートリッジの裏側の斜視図
　　【図９】従来のディスクカートリッジの裏側の斜視図
　　【符号の説明】
　　　　１…ケース
　　　　２…３．５インチのディスク状記録媒体
　　　　３…ヘッド挿入穴
　　　　４…回転穴
　　　　５…シャッタ
　　　１５…スライダー
　　　１７…第１ばね受部
　　　２１，２２…嵌合突起部
　　　２１ｂ，２２ｂ…割り溝
　　　２３，２４…嵌合溝